【手続補正書】
【提出日】平成17年3月9日(2005.3.9)
【手続補正１】
【補正対象書類名】明細書
【補正対象項目名】発明の名称
【補正方法】変更
【補正の内容】
【発明の名称】移動制御情報記録装置、情報記録媒体及び情報再生装置
【手続補正２】
【補正対象書類名】明細書
【補正対象項目名】特許請求の範囲
【補正方法】変更
【補正の内容】
【特許請求の範囲】
【請求項１】
記録すべき記録情報を記録媒体に対して記録する際の当該記録媒体の移動速度を制御するための移動制御情報を、前記記録媒体上に形成されたトラックをウォブリングさせることにより当該記録媒体に記録する移動制御情報記録装置であって、
前記記録情報における一の情報単位が記録されるべき領域内に形成される前記トラックである情報単位内トラックの一部を、予め設定された周波数でウォブリングさせるための特定ウォブリング信号を生成する特定ウォブリング信号生成手段と、
前記生成された特定ウォブリング信号に基づいて、前記情報単位内トラックの一部を前記周波数でウォブリングさせることにより前記移動制御情報を記録する記録手段と、
を備え、
前記特定ウォブリング信号生成手段は、前記記録媒体上の全ての前記情報単位内トラックについて、相互に同じ位置における前記ウォブリングの周波数が夫々に前記周波数となるように前記特定ウォブリング信号を生成することを特徴とする移動制御情報記録装置。
【請求項２】
請求項１に記載の移動制御情報記録装置において、
前記特定ウォブリング信号生成手段は、一の前記情報単位内トラックにおいて、前記周波数でウォブリングされている情報単位内トラックの長さが当該一の情報単位内トラックの半分の長さとなるように前記特定ウォブリング信号を生成することを特徴とする移動制御情報記録装置。
【請求項３】
請求項１又は２に記載の移動制御情報記録装置において、
前記記録媒体は、円盤状記録媒体であると共に、
前記移動制御情報は、前記記録情報の記録時における前記円盤状記録媒体の回転数を制御するための回転制御情報であることを特徴とする移動制御情報記録装置。
【請求項４】
ウォブリングされ且つ予め設定された複数の単位よりなるトラックが予め記録された情報記録媒体であって、
各前記単位における相互に同じ領域の前記ウォブリングの形状が相互に同一であることを特徴とする情報記録媒体。
【請求項５】
請求項４に記載の情報記録媒体において、
各前記領域は予め設定された一定ウォブリング周波数で夫々にウォブリングされていることを特徴とする情報記録媒体。
【請求項６】
請求項４又は５に記載の情報記録媒体において、
前記領域は各前記単位の領域の前半部であることを特徴とする情報記録媒体。
【請求項７】
ウォブリングされ且つ予め設定された複数の単位よりなるトラックが予め記録され、各前記単位における相互に同じ領域の前記ウォブリングの形状が相互に同一である情報記録媒体に記録された情報を再生する情報再生装置であって、
前記トラックに対して光ビームを照射し、当該光ビームの前記トラックからの反射光に基づいて検出信号を出力するピックアップ手段と、
前記検出信号から、制御情報を抽出する抽出手段と、
を備えることを特徴とする情報再生装置。
【手続補正３】
【補正対象書類名】明細書
【補正対象項目名】０００１
【補正方法】変更
【補正の内容】
【０００１】
【発明の属する技術分野】
本発明は、追記可能なＷＯ（Write Once）型の記録媒体（以下、ＤＶＤ−Ｒ（DVD-Recordable）という。）において、当該記録媒体の制御情報（以下、プリ情報という。）を予め記録するための移動制御情報記録装置、情報記録媒体及び情報再生装置の技術分野に属する。
【手続補正４】
【補正対象書類名】明細書
【補正対象項目名】０００８
【補正方法】変更
【補正の内容】
【０００８】
【課題を解決するための手段】
上記の課題を解決するために、請求項１に記載の発明は、記録すべき記録情報を記録媒体に対して記録する際の当該記録媒体の移動速度を制御するための移動制御情報を、前記記録媒体上に形成されたグルーブトラック等のトラックをウォブリングさせることにより当該記録媒体に記録する移動制御情報記録装置であって、前記記録情報におけるシンクフレーム等の一の情報単位が記録されるべき領域内に形成される前記トラックである情報単位内トラックの一部を、予め設定された周波数でウォブリングさせるための特定ウォブリング信号を生成するプリフォーマット用エンコーダ等の特定ウォブリング信号生成手段と、前記生成された特定ウォブリング信号に基づいて、前記情報単位内トラックの一部を前記周波数でウォブリングさせることにより前記移動制御情報を記録する光変調器等の記録手段と、を備え、前記特定ウォブリング信号生成手段は、前記記録媒体上の全ての前記情報単位内トラックについて、相互に同じ位置における前記ウォブリングの周波数が夫々に前記周波数となるように前記特定ウォブリング信号を生成するように構成される。
【手続補正５】
【補正対象書類名】明細書
【補正対象項目名】０００９
【補正方法】変更
【補正の内容】
【０００９】
上記の課題を解決するために、請求項４に記載の発明は、ウォブリングされ且つ予め設定されたシンクフレーム等の複数の単位よりなるグルーブトラック等のトラックが予め記録された情報記録媒体であって、各前記単位における相互に同じ領域の前記ウォブリングの形状が相互に同一であるように構成される。
【手続補正６】
【補正対象書類名】明細書
【補正対象項目名】００１０
【補正方法】変更
【補正の内容】
【００１０】
上記の課題を解決するために、請求項７に記載の発明は、ウォブリングされ且つ予め設定されたシンクフレーム等の複数の単位よりなるグルーブトラック等のトラックが予め記録され、各前記単位における相互に同じ領域の前記ウォブリングの形状が相互に同一である情報記録媒体に記録された情報を再生する情報再生装置であって、前記トラックに対して光ビームを照射し、当該光ビームの前記トラックからの反射光に基づいて検出信号を出力するピックアップ等のピックアップ手段と、前記検出信号から、制御情報を抽出するフィルタ等の抽出手段と、を備える。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】削除
【補正の内容】
【手続補正４２】
【補正対象書類名】明細書
【補正対象項目名】００４６
【補正方法】削除
【補正の内容】
【手続補正４３】
【補正対象書類名】明細書
【補正対象項目名】００４７
【補正方法】削除
【補正の内容】
【手続補正４４】
【補正対象書類名】明細書
【補正対象項目名】００４８
【補正方法】削除
【補正の内容】
【手続補正４５】
【補正対象書類名】明細書
【補正対象項目名】００４９
【補正方法】削除
【補正の内容】
【手続補正４６】
【補正対象書類名】明細書
【補正対象項目名】００５０
【補正方法】削除
【補正の内容】
【手続補正４７】
【補正対象書類名】明細書
【補正対象項目名】００５１
【補正方法】削除
【補正の内容】
【手続補正４８】
【補正対象書類名】明細書
【補正対象項目名】０１４０
【補正方法】削除
【補正の内容】
【手続補正４９】
【補正対象書類名】明細書
【補正対象項目名】０１４１
【補正方法】削除
【補正の内容】
【手続補正５０】
【補正対象書類名】明細書
【補正対象項目名】０１４２
【補正方法】削除
【補正の内容】
【手続補正５１】
【補正対象書類名】明細書
【補正対象項目名】０１４３
【補正方法】削除
【補正の内容】
【手続補正５２】
【補正対象書類名】明細書
【補正対象項目名】０１４４
【補正方法】削除
【補正の内容】
【手続補正５３】
【補正対象書類名】明細書
【補正対象項目名】０１４５
【補正方法】削除
【補正の内容】
【手続補正５４】
【補正対象書類名】明細書
【補正対象項目名】０１４６
【補正方法】削除
【補正の内容】
【手続補正５５】
【補正対象書類名】明細書
【補正対象項目名】０１４７
【補正方法】削除
【補正の内容】
【手続補正５６】
【補正対象書類名】明細書
【補正対象項目名】０１４８
【補正方法】削除
【補正の内容】
【手続補正５７】
【補正対象書類名】明細書
【補正対象項目名】０１４９
【補正方法】削除
【補正の内容】
【手続補正５８】
【補正対象書類名】明細書
【補正対象項目名】０１５０
【補正方法】削除
【補正の内容】
【手続補正５９】
【補正対象書類名】明細書
【補正対象項目名】０１５１
【補正方法】削除
【補正の内容】
【手続補正６０】
【補正対象書類名】明細書
【補正対象項目名】０１５２
【補正方法】削除
【補正の内容】
【手続補正６１】
【補正対象書類名】明細書
【補正対象項目名】０１５３
【補正方法】削除
【補正の内容】
【手続補正６２】
【補正対象書類名】明細書
【補正対象項目名】０１５４
【補正方法】削除
【補正の内容】
【手続補正６３】
【補正対象書類名】明細書
【補正対象項目名】０１５５
【補正方法】削除
【補正の内容】
【手続補正６４】
【補正対象書類名】明細書
【補正対象項目名】０１５６
【補正方法】削除
【補正の内容】
【手続補正６５】
【補正対象書類名】明細書
【補正対象項目名】０１５７
【補正方法】削除
【補正の内容】